(57)【特許請求の範囲】
【請求項１】
弁座アセンブリ（７）と、前記弁座アセンブリ（７）に接続されているケースアセンブリ（５）を含み、前記弁座アセンブリ（７）のキャビティには弁ロッドアセンブリ（６）と弁口（１２１）が設けられており、前記ケースアセンブリ（５）のキャビティにはモータ（５１）が設けられており、前記モータ（５１）は歯車システム（５２）を介して軸方向に沿って上下移動するように前記弁ロッドアセンブリ（６）を駆動することにより、弁口（１２１）を通る流体の流量を調整する電子膨張弁において、
前記弁座アセンブリ（７）は別体構造であって、弁座（１）と前記弁座（１）に接続されるカバー（９）を含み、前記カバー（９）は前記ケースアセンブリ（５）に接続されており、前記弁座（１）の外側面には取付け平面（１３）が設けられており、前記取付け平面（１３）にはサイトグラス（８）が接続されており、
前記弁座（１）はさらに別体構造であって、上弁座（１１）と前記上弁座（１１）に接続される下弁座（１２）を含み、前記カバー（９）はさらに前記上弁座（１１）に接続されており、前記取付け平面（１３）はさらに前記上弁座（１１）の外側面に設けられており、
前記弁口（１２１）は前記下弁座（１２）に設けられており、且つ前記弁口（１２１）は軸方向に沿って上に向けて突出するスリーブ延出部（１２２）を有し、前記スリーブ延出部（１２２）は前記上弁座（１１）のキャビティに伸び込んでおり、前記弁ロッドアセンブリ（６）は管状の弁ロッド（２）が設けられており、前記スリーブ延出部（１２２）及び前記弁ロッド（２）の下端部のうちの一方の円周側壁には流量を調整する開口溝（３）が設けられており、且つ前記スリーブ延出部（１２２）及び前記弁ロッド（２）の下端部のうちの一方は他方の内部に伸び込みあるいは他方から伸び出すことにより、前記開口溝（３）と前記弁口（１２１）とを連通させあるいはそれらの連通を遮断させることを特徴とする電子膨張弁。
【請求項２】
前記上弁座（１１）はさらに角胴形弁座であり、前記角胴形弁座のいずれか一つの外側面は前記取付け平面（１３）を形成することを特徴とする請求項１に記載の電子膨張弁。
【請求項３】
前記弁座（１）はさらに一体化構造であって、前記弁座（１）は全体的に角胴形弁座であり、前記角胴形弁座のいずれか一つの外側面は前記取付け平面（１３）を形成することを特徴とする請求項１に記載の電子膨張弁。
【請求項４】
前記弁口（１２１）の周方向には第１の段面（１４）が設けられており、前記弁ロッドアセンブリ（６）は管状の弁ロッド（２）を含み、前記弁ロッド（２）の下端部の側壁には第２の段面（２１）と流量を調整する開口溝（３）が設けられており、前記第１の段面（１４）が前記第２の段面（２１）に接触して密閉しあるいは前記第２の段面（２１）から離脱するように、前記弁ロッド（２）の下端部は前記弁口（１２１）の内部に伸び込みあるいは前記弁口（１２１）から伸び出すことを特徴とする請求項３に記載の電子膨張弁。
【請求項５】
前記取付け平面（１３）にはネジ孔が設けられており、前記サイトグラス（８）は鏡基台（８１）を含み、前記鏡基台（８１）は螺合によって前記ネジ孔に接続されていることを特徴とする請求項１乃至４のいずれか一項に記載の電子膨張弁。
【請求項６】
前記鏡基台（８１）と前記ネジ孔の孔壁との間にはさらに密封部材（８２）が設けられていることを特徴とする請求項５に記載の電子膨張弁。
【請求項７】
前記ケースアセンブリ（５）はケース（５３）と前記ケース（５３）に接続されている挿入ピン基台（５４）を含み、前記ケースアセンブリ（５）は前記ケース（５３）により前記カバー（９）と接続されており、前記挿入ピン基台（５４）の内部には樹脂射出によって挿入ピン（５５）が封じ込まれていることを特徴とする請求項１乃至４のいずれか一項に記載の電子膨張弁。
【請求項８】
前記弁座アセンブリ（７）はさらにステンレススチール製の弁座アセンブリであることを特徴とする請求項１乃至４のいずれか一項に記載の電子膨張弁。
【発明の詳細な説明】
【技術分野】
【０００１】
本願は、２０１１年６月２７日に中国特許局に提出した、出願番号が２０１１１０１７５２６９．Ｘで、発明名称が「電子膨張弁」である中国特許出願の優先権を主張し、当該特許出願の内容の全てを引用によって本願に取り入れる。
【０００２】
本発明は、流体制御部材の技術分野に関し、特に電子膨張弁に関する。
【背景技術】
【０００３】
電子膨張弁は冷却システムを構成する重要な部材であり、冷却システムにおける四つの基本部材のうちの蒸発器、コンプレッサー及びコンデンサーを除く基本部材である。電子膨張弁の作動過程としては、一般的に、コイル装置の通電または停電に伴い、弁棒で弁口の開度を調整することにより、冷媒の流量を調節する。
【０００４】
従来技術において、出願番号がＵＳ５７３５５０１Ａである米国特許出願は一種の電子膨張弁を開示している。具体的には、図１を参照して、図１は従来技術による電子膨張弁の構造模式図である。
【０００５】
図１に示すように、当該従来技術による電子膨張弁は弁座アセンブリ１′とケースアセンブリ２′を含み、当該弁座アセンブリ１′の内部には、弁ロッドアセンブリ３′と弁口１′１が設けられており、ケースアセンブリ２′の内部にはモータ２′１が設けられており、且つ当該モータ２′１は歯車システム２′２を介して軸方向に沿って上下移動するように弁ロッドアセンブリ３′を駆動することにより、弁口１′１を通る流体の流量を調整する。しかしながら、当該従来技術による電子膨張弁には以下のような欠陥が存在している。
【発明の概要】
【発明が解決しようとする課題】
【０００６】
前記電子膨張弁において、弁座アセンブリ１′は一体化されたスリーブ部材であり、その材質として薄肉引張り部材が採用されあるいはステンレススチールパイプから構成される。当該弁座アセンブリ１′の側壁は円形であるため、サイトグラスと接続する作業性が比較的良くなく、且つ弁座アセンブリ１′の側壁における接続位置に鞍形面が存在いているため、Ｏ型リングを装着することができず、シール性が比較的良くない。また、上記鞍形面が存在することにより、螺合によってサイトグラスと弁座アセンブリ１′とを接続させるのは不便であり、もしどうしても螺合接続を採用する場合、円筒形状の弁座アセンブリ１′の肉厚を増やす必要があり、こうすれば、材料が浪費され、コストも上昇してしまい、そして、製品が重くなる。とにかく、前記従来技術による電子膨張弁は、サイトグラスが装着されることに適せず、サイトグラスがないので、電子膨張弁の内部における流体の状況を適時に把握することができず、ユーザが当該電子膨張弁を使用する場合に、多大な不便を齎している。
【０００７】
また、出願番号が２００５８００２３２０２．７である中国特許出願は一種の電子膨張弁を開示している。図２に示すように、弁座アセンブリ２２の構造は比較的複雑であるため、当該弁座アセンブリ２２は、まず黄銅鋳物からブランクが形成され、その後ターニングで成形されることによって製造されなくてはいけない。先ず、鋳造工芸の性質によって、材質にはスラグ巻込みと気孔などの欠陥を避けることができないため、製品は室外に装着され更にある程度の時間で使用された後、腐食されて緑青を生じ、欠陥がある箇所は一番弱い。冷却システムの内部の圧力は弁外部の圧力より著しく高いので、漏洩を発生し易く或いは強度不足によって弁体の破裂が生じやすくなり、製品の耐用年数と信頼性に影響を及ぼし、冷却装置の組み合せ全体の機能を失わせ、大型冷凍保存場所、スーパーの冷凍庫または冷蔵作業場にある冷凍品に巨大な損失を被らせる。次に、黄銅の融点は９３０℃程度であるため、還元剤とする保護ガスが存在するトンネル炉に半田付を行うと、溶接温度は黄銅の融点よりも低く確保することが必須である。したがって、接続管と黄銅の弁体との溶接を行う時に銀の含有量が高い半田を使用しなければならないが、銀の価格が高騰するにつれて、溶接のコストも大幅に増加しつつある。更に、黄銅による鋳造には金型を採用し、もしクライアントから異なる要望が出されると、接続管と弁座との装着位置を調整する必要があるため、改めて金型を設計しなければならないが、金型を改めて製造する周期は長いので、生産コストも上昇する。
【０００８】
これに鑑み、如何に従来技術による電子膨張弁を改良することによって、サイトグラスを有利に弁座アセンブリに接続させることができるのかということは、当業者にとって急を要する課題である。
【０００９】
本発明の解決しようとする技術的な課題は、独自な構造設計により、サイトグラスを比較的有利に弁座アセンブリに接続させるとともに、接続工芸と接続品質を容易に確保することができる電子膨張弁を提供することである。
【課題を解決するための手段】
【００１０】
上記技術的課題を解決するために、本発明は弁座アセンブリと、前記弁座アセンブリに接続されているケースアセンブリを含む電子膨張弁を提供し、前記弁座アセンブリのキャビティには弁ロッドアセンブリと弁口が設けられており、前記ケースアセンブリの内部にモータが設けられており、前記モータは歯車システムを介して軸方向に沿って上下移動するように前記弁ロッドアセンブリを駆動することにより、弁口を通る流体の流量を調整し、前記弁座アセンブリは別体構造であって、弁座と前記弁座に接続されるカバーを含み、前記カバーは前記ケースアセンブリに接続されており、前記弁座の外側面には取付け平面が設けられており、前記取付け平面にはサイトグラスが接続されている。
【００１１】
前記弁座はさらに別体構造であって、上弁座と前記上弁座に接続されている下弁座を含み、前記カバーはさらに前記上弁座に接続されており、前記取付け平面はさらに前記上弁座の外側面に設けられていることが、好ましい。
【００１２】
前記上弁座は更に角胴形弁座であって、前記角胴形弁座の何れか一つの外側面は前記取り付け平面を形成することが、好ましい。
【００１３】
前記弁口は前記下弁座に設けられており、且つ前記弁口は軸方向に沿って上に向けて突出するスリーブ延出部を有し、前記スリーブ延出部は前記上弁座のキャビティに伸び込んでおり、前記弁ロッドアセンブリには管状の弁ロッドが設けられており、前記スリーブ延出部及び前記弁ロッドの下端部のうちの一方の円周側壁には流量を調整する開口溝が設けられており、且つ前記スリーブ延出部及び前記弁ロッドの下端部のうちの一方は他方の内部に伸び込みあるいは他方から伸び出すことにより、前記開口溝と前記弁口とを連通させあるいはそれらの連通を遮断させることが、好ましい。
【００１４】
前記弁座はさらに一体化構造であって、前記弁座は全体的に角胴形弁座であり、前記角胴形弁座のいずれか一つの外側面は前記取付け平面を形成することが、好ましい。
【００１５】
前記弁口の周方向には第１の段面が設けられており、前記弁ロッドアセンブリは管状の弁ロッドを含み、前記弁ロッドの下端部の側壁には第２の段面と流量を調整する開口溝が設けられており、前記弁ロッドの下端部は前記弁口の内部に伸び込みあるいは前記弁口から伸び出すことにより、前記第１の段面は前記第２の段面に接触して密閉しあるいは前記第２の段面から離脱することが、好ましい。
【００１６】
前記取付け平面にはネジ孔が設けられており、前記サイトグラスは鏡基台を含み、前記鏡基台は螺合によって前記ネジ孔に接続されていることが、好ましい。
【００１７】
前記鏡基台と前記ネジ孔の孔壁との間にはさらに密封部材が設けられていることが、好ましい。
【００１８】
前記ケースアセンブリはケースと前記ケースに接続される挿入ピン基台を含み、前記ケースアセンブリは前記ケースにより前記カバーと接続されており、前記挿入ピン基台の内部には樹脂射出によって挿入ピンが封じ込まれていることが、好ましい。
【００１９】
前記弁座アセンブリはさらにステンレススチール製の弁座アセンブリであることが、好ましい。
【発明の効果】
【００２０】
従来技術に基き、本発明によって提供される電子膨張弁の弁座アセンブリは別体構造であって、弁座と前記弁座に接続されるカバーを含み、前記カバーは前記ケースアセンブリに接続されており、前記弁座の外側面には取付け平面が設けられており、前記取付け平面にサイトグラスが接続されている。
【００２１】
従来技術と比べて、本発明によって提供される弁座アセンブリは別体構造であって、弁座とカバーを含み、カバーはケースアセンブリと接続し易い円筒形状の部材である。弁座とカバーとは独立構造であるため、弁座は非円筒形状の部材を採用することができ、例えば、角胴形弁座または取付け平面を形成し易い他の形状の弁座を採用することもできるゆえ、弁座には取付け平面を容易に形成することができる。鞍形面にサイトグラスが接続されている構造設計に対して、取付け平面にサイトグラスが接続されている構造設計を介して、サイトグラスの接続は容易にされ、且つ接続工芸と接続品質が容易に確保されている。
【００２２】
とにかく、本発明によって提供される電子膨張弁は、独自な構造設計により、サイトグラスを有利に弁座アセンブリに接続させるとともに、接続工芸と接続品質を容易に確保することができる。
【図面の簡単な説明】
【００２３】
【図１】従来技術による電子膨張弁の構造模式図である。
【図２−１】本発明の第１の実施例に係る電子膨張弁の構造模式図である。
【図２−２】他の視角で見た図２−１の電子膨張弁の構造模式図である。
【図３−１】本発明の第２の実施例に係る電子膨張弁の構造模式図である。
【図３−２】他の視角で見た図３−１の電子膨張弁の構造模式図である。
【図４】図２−１の電子膨張弁の断面図である。
【図４−１】図４の電子膨張弁の弁ロッドが下弁座と組み合わされる構造模式図である。
【図４−２】図４−１の下弁座の軸測図である。
【図４−３】他の実施例に係る弁ロッドが下弁座と組み合わされる構造模式図である。
【図５】図３−１の電子膨張弁の弁座アセンブリとサイトグラスの断面図である。
【図５−１】図５の弁座が弁ロッドと組み合わされる構造模式図である。
【図６】図２−１乃至図３−２のケースアセンブリの構造模式図である。
【図６−１】図６のケースアセンブリの平面図である。
【図６−２】図６のケースアセンブリの底面図である。
【発明を実施するための形態】
【００２４】
本発明の核心は、独自な構造設計により、サイトグラスを有利に弁座アセンブリに接続させるとともに、接続工芸と接続品質を容易に確保することができる電子膨張弁を提供することである。
【００２５】
当業者が本発明の技術案を比較的良好に理解できるように、以下、図面と具体的な実施例に基づいて本発明を更に詳細に説明する。
【００２６】
図２−１、図２−２、図３−１及び図３−２を参照して、図２−１は本発明の第１の実施例に係る電子膨張弁の構造模式図であり、図２−２は他の視角で見た図２−１の電子膨張弁の構造模式図であり、図３−１は本発明の第２の実施例に係る電子膨張弁の構造模式図であり、図３−２は他の視角で見た図３−１の電子膨張弁の構造模式図である。
【００２７】
基本的な技術案において、図２−１乃至図３−２に示すように、本発明によって提供される電子膨張弁は弁座アセンブリ７と、前記弁座アセンブリ７に接続されているケースアセンブリ５を含み、前記弁座アセンブリ７のキャビティには弁ロッドアセンブリ６と弁口１２１が設けられており、前記ケースアセンブリ５のキャビティにモータ５１が設けられており、前記モータ５１は歯車システム５２を介して軸方向に沿って上下移動するように弁ロッドアセンブリ６を駆動することにより、弁口１２１を通る流体の流量を調整する。
【００２８】
上記構造に基づいて、図２−１乃至図３−２に示すように、弁座アセンブリ７は別体構造であって、弁座１と弁座１に接続されるカバー９を含み、カバー９はケースアセンブリ５に接続されており、弁座１の外側面には取付け平面１３が設けられており、取付け平面１３にサイトグラス８が接続されている。
【００２９】
従来技術と比べて、本発明によって提供される弁座アセンブリ７は別体構造であって、弁座１とカバー９を含み、カバー９はケースアセンブリ５と接続し易い円筒形状の部材である。弁座１とカバー９とは独立構造であるため、弁座１は非円筒形状の部材を採用することができ、例えば、角胴形弁座または取付け平面を形成し易い他の形状の弁座を採用することもできるゆえ、弁座１には取付け平面１３を容易に形成することができる。鞍形面にサイトグラスが接続されている構造設計に対して、取付け平面１３にサイトグラス８が接続されている構造設計により、サイトグラス８の接続は容易にされ、且つ接続工程と接続品質を容易に確保することができる。
【００３０】
上記基本的な技術案に基づいて、さらに改良することによって、本発明の第１の実施例を得られる。具体的に図２−１と図２−２を参照して、当該第１の実施例において、弁座１はさらに別体構造であって、上弁座１１と上弁座１１に接続される下弁座１２を含み、カバー９はさらに上弁座１１に接続されており、取付け平面１３はさらに上弁座１１の外側面に設けられている。弁座１の部材間独立構造設計により、取付け平面１３は上弁座１１にのみ設置すればよいため、加工工芸を簡単にさせ、さらに下弁座１２は材料の少ない節約可能な円柱形状を採用することができるため、弁座の材料を節約することができる。
【００３１】
具体的には、図２−１と図２−２を参照して、上弁座１１は角胴形弁座であり、前記角胴形弁座のいずれか一つの外側面は取付け平面１３を形成する。当該角胴形弁座の構造設計により、取付け平面１３は非常に有利に形成され、且つ角胴形弁座の四つの外側面はいずれもサイトグラス８の取付け平面１３とすることができるため、具体的な使用環境に応じて、サイトグラス８を角胴形弁座のいずれか一つの外側面に接続させる。さらに、当該角胴形弁座は四角棒からターニングにより成形されることができ、四角棒の材料はコストが低いと共に、獲得しやすいので、著しく生産コストを低減することができる。また、四角棒の材質はステンレススチールであるため、弁座の強度と耐腐食性を向上させることができる。
【００３２】
なお、弁座に対してさらに改良することによって、本発明の第２の実施例を得られる。具体的には、図３−１と図３−２に示すように、弁座１はさらに一体化構造であって、弁座１は全体的に角胴形弁座であり、前記角胴形弁座のいずれか一つの外側面は前記取付け平面１３を形成する。弁座１は、一体化構造であり、且つ全体的に角胴形弁座であって、このような構造設計により弁座１の構造を簡略化させることができ、部品の数を低減し、且つ装着工程を簡略化させ、コストを低減する。
【００３３】
図４、図４−１及び図４−２を参照して、図４は図２−１の電子膨張弁の断面図であり、図４−１は図４の電子膨張弁の弁ロッドが下弁座と取り合わせる構造模式図であり、図４−２は図４−１の下弁座の軸測図である。
【００３４】
上記第１の実施例において、さらに改良することができる。例えば、第１の実施例に基づいて、図４乃至図４−２に示すように、前記弁口１２１は前記下弁座１２に設けられており、且つ前記弁口１２１は軸方向に沿って上に向けて突出するスリーブ延出部１２２を有し、前記スリーブ延出部１２２は上弁座１１のキャビティに伸び込み、弁ロッドアセンブリ６には管状の弁ロッド２が設けられており、スリーブ延出部１２２及び弁ロッド２の下端部のうちの一方の円周側壁には流量を調整する開口溝３が設けられており、且つスリーブ延出部１２２及び弁ロッド２の下端部のうちの一方は他方の内部に伸び込みもしくは他方から伸び出すこと（つまり、スリーブ延出部１２２は弁ロッド２の下端部の内部に伸び込みもしくは弁ロッド２から伸び出し、或いは弁ロッド２の下端部はスリーブ延出部１２２の内部に伸び込みもしくはスリーブ延出部１２２から伸び出すこと）により、開口溝３と弁口１２１とを連通させあるいはそれらの連通を遮断させる。
【００３５】
開口溝３の形状は必要な流量曲線に対応しており、例えば、Ｖ型、Ｙ型または他の形状に形成されてもよく、冷却システムはどのような形状を必要としても、スリーブ延出部１２２の円周側壁または弁ロッド２の下端部の側壁にそれと対応する開口溝３を設けてもよい。作動する際に、弁ロッド２がスリーブ延出部１２２と互いに離脱することに伴い、開口溝３は弁口１２１と小流量で連通しつつ、弁ロッド２がスリーブ延出部１２２から更に離脱するほど、開口溝３の流通面積が漸次に大きくなるため、開口溝３が全て開けられるまで冷媒の流量が漸次に大きくなっていき、弁口１２１との最大流量の連通を実現する。これにより、本発明によって提供される電子膨張弁を利用して必要な流量曲線を得られることが分かった。
【００３６】
また、弁ロッド２の下端は円錐体ではなく、円柱体であるため、弁ロッド２の下端が受ける冷媒からの圧力は同一である。それと同時に、弁ロッド２は管状を呈しており、軸方向に沿って貫通しているため、弁ロッド２の上端と下端との両方が受ける冷媒からの圧力は等しくなり、弁ロッド２の上端と下端との力を受ける面積が等しい前提で、弁ロッド２が軸方向に受ける冷媒からの圧力のバランスが取れている。
【００３７】
特に説明すべきこととして、上記の実施例において、スリーブ延出部１２２の側壁に開口溝３を設置してもよいし、弁ロッド２の下端部に開口溝３を設置してもよい。この二つの技術案において、スリーブ延出部１２２は弁ロッド２の下端部の内部に伸び込みもしくは弁ロッド２の下端部から伸び出し、或いは弁ロッド２の下端部はスリーブ延出部１２２の内部に伸び込みもしくはスリーブ延出部１２２から伸び出すことにより、いずれも開口溝３と弁口１２１とを連通させあるいはそれらの連通を遮断させることができる。
【００３８】
図４乃至図４−２に示すように、開口溝３はスリーブ延出部１２２の円周側壁に設けられており、これに基づいて、図４−１と図４−２に示すように、スリーブ延出部１２２には位置が開口溝３の最下端よりも低い第１の密閉面１２３が設けられており、当該第１の密閉面１２３はさらにスリーブ延出部１２２の内部に設置されてもよく、これに基づいて、図４−１と図４−２に示すように、基体２１の下端面が第１の密閉面１２３に接触して密閉しあるいは第１の密閉面１２３から離脱するように、弁ロッド２の下端部はスリーブ延出部１２２の内部に伸び込みあるいはスリーブ延出部１２２から伸び出す。この構造設計を介して、基体２１の下端面は第１の密閉面１２３に接触して密閉を行い、基体２１の下端面は剛性が強くて変形しにくいため、従来技術におけるシールシートに比べて、そのシール性能と耐用年数が大幅に向上された。
【００３９】
加工を行う際には、まず下弁座１２に弁口１２１とスリーブ延出部１２２を形成するとともに、スリーブ延出部に開口溝３を形成し、次に上弁座１１を形成し、最後に形成された下弁座１２と上弁座１１を組み立てる。これによって、弁座１は別体構造であるため、スリーブ延出部１２２と開口溝３との加工をとても有利に実現し、加工工程を簡略化したことが分かった。
【００４０】
また、図４に示すように、第１の接続管４１は上弁座１１に接続されており、第２の接続管４２は下弁座１２に接続されており、この構造設計により、冷却システムの環境とスペースとの要求に応じて、第１の接続管４１と第２の接続管４２との位置関係を調節することができるため、例えば、両者を互いに平行にさせること或いは両者間の挟角を略９０度にさせることができる。
【００４１】
上記第１の実施例において、さらに改良することができる。例えば、図４−３を参照して、図４−３は他の実施例に係る弁ロッドが下弁座と組み合わされる構造模式図である。
【００４２】
図４−３に示すように、更に具体的に開口溝３は弁ロッド２の下端部に設けられてもよい。これに基づいて、弁ロッド２の下端部には位置が開口溝３の最上端よりも高い第２の密閉面２２が設けられており、且つ当該第２の密閉面２２はさらに弁ロッド２の下端部の内部に設置されてもよく、これに基づいて、図４−３に示すように、スリーブ延出部１２２の上端面が第２の密閉面２２に接触して密閉しあるいは第２の密閉面２２から離脱するように、スリーブ延出部１２２は弁ロッド２の下端部の内部に伸び込みもしくは弁ロッド２の下端部から伸び出すことができる。この構造設計により、スリーブ延出部１２２の上端面は第２の密閉面２２に接触して密閉を行い、第２の密閉面２２は剛性が強くて変形しにくいため、従来技術におけるシールシートに比べて、そのシール性能と耐用年数が大幅に向上された。
【００４３】
図５と図５−１を参照して、図５は図３−１の電子膨張弁の弁座アセンブリとサイトグラスの断面図であり、図５−１は図５の弁座が弁ロッドと組み合わされる構造模式図である。
【００４４】
上記第２の実施例において、さらに改良することができる。例えば、弁口１２１の周方向には第１の段面１４が設けられており、弁ロッドアセンブリ６は管状の弁ロッド２を含み、弁ロッド２の下端部の側壁には第２の段面２１と流量を調整する開口溝３が設けられており、第１の段面１４が第２の段面２１に接触して密閉しあるいは第２の段面２１から離脱するように、弁ロッド２の下端部は弁口１２１の内部に伸び込みあるいは弁口１２１から伸び出す。この構造設計により流量を調節する目的を図ることができる。
【００４５】
上記いずれか一つの技術案に基づいて、サイトグラス８の取付け構造に対して更に具体的に設計を行うことができる。例えば、図５と図５−１を参照して、取付け平面１３にはネジ孔が設けられており、サイトグラス８は鏡基台８１を含み、鏡基台８１は螺合によってネジ孔に接続されており、且つ鏡基台８１とネジ孔の孔壁との間にはさらに密封部材８２が設けられている。取付け平面１３の構造設計により、鏡基台８１とネジ孔との螺合接続がとても有利に実現されており、且つ、サイトグラス８は鞍形面に接続されておらず、取付け平面１３に接続されているため、密封部材８２の装着も同時に実現された。
【００４６】
また、図５と図５−１に示すように、鏡基台８１にはレンズ８５、表示用紙８３及び表示用紙８３を鏡基台８１の内部に係止させるカード８４が設けられている。冷媒の異なる温度または異なる相態によって、表示用紙８３の表示色が違うので、表示用紙８３の表示色の変化により、冷媒の温度状況と相態状況を大体把握することができる。
【００４７】
さらに、ケースアセンブリ５の具体的な構造に対して設計を行うことができる。具体的には、図６、図６−１及び図６−２を参照して、図６は図２−１乃至図３−２のケースアセンブリの構造模式図であり、図６−１は図６のケースアセンブリの平面図であり、図６−２は図６のケースアセンブリの底面図である。
【００４８】
具体的には、図６乃至図６−２に示すように、ケースアセンブリ５はケース５３と当該ケース５３に接続される挿入ピン基台５４を含み、ケース５３の上部にはカバーが設けられており、カバーの中部には中心孔が設けられており、挿入ピン基台５４は当該中心孔内に接続されている。また、図６−２に示すように、挿入ピン５５はガラス合金５６などの封込材料により挿入ピン基台５４の内部に封じ込み、固定されている。図６−１に示すように、挿入ピン基台５４内には挿し込みミスの防止シースが設けられており、継手と各挿入ピン５５との挿し込みミスを防止する。
【００４９】
また、上記いずれか一つの技術案において、弁座アセンブリ７の材料はステンレススチールであってもよく、弁座アセンブリ７は具体的にステンレススチール製の弁座アセンブリであり、ステンレススチール製の弁座アセンブリは強度が高いと共に、優れた耐腐食性を有する。
【００５０】
最後に説明すべきこととして、図４に示すように、本発明によって提供される電子膨張弁は冷媒の流量を調節するためのものであって、図３に示すように、電子膨張弁はケースアセンブリ５を含み、ケースアセンブリ５にはモータ５１が設けられており、モータ５１の出力軸は歯車システムを介して弁ロッドアセンブリ６のスクリュー６１に伝動接続されている。図４に示すように、歯車システム５２は歯車座６２に支持されており、且つスクリュー６１は歯車座６２を挿通して弁ロッド２に接続されており、スクリュー６１の回転に伴い、弁ロッド２は軸方向に沿って上下移動することにより、冷媒の流量を調節する目的を実現する。
【００５１】
以上、本発明によって提供される電子膨張弁を詳細に説明した。本文には具体的な個別例を利用して本発明の原理及び実施態様を説明したが、上記のように説明した実施例は、本発明の方法及びその核心思想を理解し易くするためのものに過ぎない。なお、当業者にとって、本発明の原理を外れない前提で、若干の改良や修飾を行うことができ、これらの改良や修飾も本発明の保護範囲に該当することを理解すべきである。
【符号の説明】
【００５２】
なお、図１における符号と部材名称との対応関係は、以下の通りである。
１′…弁座アセンブリ；１′１…弁口；２′…ケースアセンブリ；２′１…モータ；２′２…歯車システム；３′…弁ロッドアセンブリ。
図２−１乃至図６−２における符号と部材名称との対応関係は、以下の通りである。
１…弁座；１１…上弁座；１２…下弁座；１２１…弁口；１２２…スリーブ延出部；１２３…第１の密閉面；１３…取付け平面；１４…第１の段面；２…弁ロッド；２１…第２の段面；２２…第２の密閉面；３…開口溝；４１…第１の接続管；４２…第２の接続管；５…ケースアセンブリ；５１…モータ；５２…歯車システム；５３…ケース；５４…挿入ピン基台；５５…挿入ピン；５６…ガラス合金；５７…挿し込みミス防止のシース；６…弁ロッドアセンブリ；６１…スクリュー；６２…歯車座；７…弁座アセンブリ；８…サイトグラス；８１…鏡基台；８２…密封部材；８３…表示用紙；８４…カード；８５…レンズ；９…カバー。
【図１】
0005771744.tif 000002
【図２−１】
0005771744.tif 000003
【図２−２】
0005771744.tif 000004
【図３−１】
0005771744.tif 000005
【図３−２】
0005771744.tif 000006
【図４】
0005771744.tif 000007
【図４−１】
0005771744.tif 000008
【図４−２】
0005771744.tif 000009
【図４−３】
0005771744.tif 000010
【図５】
0005771744.tif 000011
【図５−１】
0005771744.tif 000012
【図６】
0005771744.tif 000013
【図６−１】
0005771744.tif 000014
【図６−２】
0005771744.tif 000015